(57)【要約】【課題】ユーザがショートメッセージサービスを利用する際に、より利便性を向上させるとともに、複数のユーザが使用する場合であってもコストを低減することができる通信端末機を提供する。【解決手段】メモリ装置１４のＳＭＳ関連テーブル・メモリ部１４２は、ＳＭＳＣ装置ごとの記憶領域を有し、各記憶領域には、ＳＭＳＣ装置の電話番号、通信プロトコルのプログラムおよびパラメータなどが記憶されている。ショートメッセージを送信する際には、制御装置１９が入力装置１３から入力したショートメッセージか、子機から送信されたショートメッセージかによってＳＭＳＣ装置を選択し、ＳＭＳ関連テーブル・メモリ部１４２の選択されたＳＭＳＣ装置の記憶領域を参照し、記憶されているＳＭＳＣ装置の電話番号および通信プロトコルなどに基づいて網制御装置１０からダイアル発信し、回線が確立した後、予め作成されているショートメッセージデータをＳＭＳＣ装置に送信する。【選択図】　　　図２
2004104261.tif 000002
【特許請求の範囲】
【請求項１】
公衆回線網に接続され、該公衆回線網に接続されているセンタ装置と通信を行い、センタ装置を介して他の通信端末機とショートメッセージデータの送受信を行う通信端末機であって、
前記通信端末機は、互いに無線通信を行う親機と子機とからなり、
前記子機は、
ショートメッセージデータを入力する子機側入力手段と、
子機側入力手段によって入力されたショートメッセージデータを親機に送信し、親機からショートメッセージデータを受信する子機側無線通信手段とを有し、
前記親機は、
ショートメッセージデータを入力する親機側入力手段と、
公衆回線網に接続してセンタ装置とショートメッセージデータの送受信を行う通信手段と、
通信手段によって受信したショートメッセージデータを子機に送信し、子機からショートメッセージデータを受信する親機側無線通信手段と、
前記通信手段が通信を行うための通信プロトコル情報をセンタ装置ごとに複数記憶する記憶手段と、
所定の条件に基づいて、通信プロトコル情報が記憶されたセンタ装置の中から通信を行うセンタ装置を選択する選択手段と、
選択手段が選択したセンタ装置の通信プロトコル情報に基づいて、ショートメッセージデータの送信時には、親機側入力手段によって入力されたショートメッセージデータまたは親機側無線通信手段が受信したショートメッセージデータをセンタ装置に送信し、ショートメッセージデータの受信時には、センタ装置からショートメッセージデータを受信するように前記通信手段を制御するとともに、センタ装置から受信したショートメッセージデータが子機宛であるか否かを判断し、子機宛であれば、受信したショートメッセージデータを子機に送信するように親機側無線通信手段を制御する制御手段とを有することを特徴とする通信端末機。
【請求項２】
前記記憶手段は、通信プロトコル情報が記憶された各センタ装置と親機または子機との関連付けを記憶し、
前記選択手段は、子機側入力手段によって入力されたショートメッセージデータを親機側無線通信手段が受信したときは、ショートメッセージデータを送信した子機に関連付けられたセンタ装置を選択し、親機側入力手段によってショートメッセージデータが入力されたときは、親機に関連付けられたセンタ装置を選択することを特徴とする請求項１記載の通信端末機。
【請求項３】
前記制御手段は、通信手段がセンタ装置からショートメッセージデータを受信したときは、前記記憶手段を参照し、ショートメッセージデータを送信したセンタ装置が、子機に関連付けられたセンタ装置かどうかを判断することで、受信したショートメッセージデータが子機宛であるか否かを判断することを特徴とする請求項２記載の通信端末機。
【請求項４】
前記親機は、通信プロトコル情報が記憶されたセンタ装置ごとに、該センタ装置との通信量を示す通信度数を計数し、計数した通信量を前記記憶手段にセンタ装置ごとに記憶させる計数手段を有することを特徴とする請求項１記載の通信端末機。
【請求項５】
前記親機は、ショートメッセージデータを印刷する印刷手段を有し、
受信した子機宛のショートメッセージデータの中から、前記印刷手段が印刷するショートメッセージデータをユーザが指示する指示手段を、親機および子機の少なくとも一方が備えていることを特徴とする請求項１記載の通信端末機。
【請求項６】
前記親機は、ショートメッセージデータを表示する親機側表示手段を有し、
前記子機は、ショートメッセージデータを表示する子機側表示手段を有し、
前記子機側表示手段は、前記親機側表示手段より高解像度であることを特徴とする請求項１記載の通信端末機。
【請求項７】
前記親機は、文字コードを文字フォントに変換する変換手段を有し、
前記親機側無線通信手段は、受信したショートメッセージデータに含まれる文字コードが変換された文字フォントを、画像データとして子機に送信し、前記子機側無線通信手段は、親機から送信された画像データを受信し、前記子機側表示手段は、子機側無線通信手段が受信した画像データをショートメッセージデータに代えて表示することを特徴とする請求項６記載の通信端末機。
【請求項８】
公衆回線網に接続され、該公衆回線網に接続されているセンタ装置とショートメッセージデータの送受信を行うことで、センタ装置を介して他の通信端末機とショートメッセージデータの送受信を行う通信端末機であって、
前記通信端末機は、互いに無線通信を行う親機と子機とからなり、
前記子機は、センタ装置に送信するショートメッセージデータを入力する入力手段と、
センタ装置から受信したショートメッセージデータを出力する出力手段とを有することを特徴とする通信端末装置。
【発明の詳細な説明】
【０００１】
【発明の属する技術分野】
本発明は、公衆回線網に接続され、該公衆回線網に接続されているセンタ装置を介して他の通信端末機とショートメッセージデータの送受信を行う通信端末機に関する。
【０００２】
【従来の技術】
近年、有線あるいは無線通信を利用し、公衆回線網にゲートウェイなどを経由して接続するショートメッセージサービスセンタ（以下「ＳＭＳＣ」と略称する。）装置が、ストアアンドフォワード、すなわちメッセージの蓄積および転送の形態によって、公衆回線網に接続されている通信端末機間のショートメッセージの送受信を行うショートメッセージサービスシステムが構築されており、多くの通信端末機のユーザがそのシステムを利用している。ショートメッセージとは、数十文字程度の予め定められた文字数以内の文字データである。
【０００３】
ショートメッセージの送受信は、２つのステップからなる。第１のステップでであるショートメッセージのストア（蓄積）ステップと、第２のステップであるショートメッセージのフォワード（転送）ステップである。
【０００４】
蓄積ステップでは、発信側通信端末機からショートメッセージがＳＭＳＣ装置へ送信され、ＳＭＳＣ装置は受信したショートメッセージを蓄積する。転送ステップでは、ＳＭＳＣ装置は受信したショートメッセージを受信側通信端末機に送信する。
【０００５】
蓄積ステップでは、発信側通信端末機は、ショートメッセージをＳＭＳＣ装置に送信すべくＳＭＳＣ装置への接続を行うため、ＳＭＳＣ装置の電話番号を、公衆回線網にダイアルする。公衆回線網の交換機は、発信側通信端末機の発信者ＩＤ（すなわち電話番号）を、着呼信号（リンガ）に併せてＳＭＳＣ装置に送信する。なお、ＳＭＳＣ装置は、この発信者ＩＤを発信側通信端末機を識別するために用い、識別した後サービスの使用料を課金するためにも使用する。通信回線のリンクが発信側通信端末機とＳＭＳＣ装置の間とで確立されると、発信側通信端末機とＳＭＳＣ装置との間でショートメッセージ伝送フェーズに入り、発信側通信端末機からのショートメッセージの伝送が終了すると回線は開放される。ＳＭＳＣ装置は、発信側通信端末機から受信したショートメッセージを記憶手段に記憶する。
【０００６】
転送ステップでは、ＳＭＳＣ装置は、記憶しているショートメッセージをＳＭＳ対応の受信側通信端末機に送信すべく受信側通信端末機への接続を行うために、受信側通信端末機の電話番号を公衆回線網に対してダイアルする。なお、受信側通信端末機のＩＤ（電話番号）は、ショートメッセージに予め含まれている。公衆回線網の交換機は、ＳＭＳＣ装置の発信者ＩＤを着呼信号に併せて受信側通信端末機に送信する。受信側通信端末機は、このＳＭＳＣ装置の発信者ＩＤを用いて発信装置の識別を行う。識別結果がＳＭＳＣ装置からの着呼であった場合は、受信側通信端末機は、自動的にショートメッセージの受信モードに切り換わって、ＳＭＳＣ装置と通信回線を確立し、回線が確立されるとＳＭＳＣ装置からショートメッセージが伝送される。伝送が終了すると回線は開放される。
【０００７】
以上のようなステップによってショートメッセージの送受信サービス（ＳＭＳ）が行われており、多くの通信端末機のユーザがＳＭＳ業者と加入契約してその恩恵に預かっている。
【０００８】
【発明が解決しようとする課題】
従来、通信端末機のユーザは、通常ただ一つのショートメッセージサービス業者と加入契約し、ショートメッセージサービス対応の通信端末機は、契約した業者のＳＭＳＣ装置経由でのみショートメッセージの送受信を行うため、契約業者以外の業者のＳＭＳＣ装置を使用することはできない。したがって、契約業者以外の業者が提供するショートメッセージの送受信サービスを利用しているユーザとの間では、ショートメッセージの送受信が行えないという問題がある。また、使用料の課金条件やサービスの利用可能な時間帯は業者ごとに異なっているが、契約業者以外の業者のＳＭＳＣ装置を使用することはできないため、サービスの使用条件に自由度がなく、利便性および経済性などの問題がある。
【０００９】
さらに複数のユーザが、異なるＳＭＳＣ装置を経由して異なるサービスを使用するためには、ユーザごとに、かつ利用するＳＭＳＣ装置ごとに通信端末機が必要となり、設置面積および設置コストが増加するという問題がある。
【００１０】
本発明の目的は、ユーザがショートメッセージサービスを利用する際に、より利便性を向上させるとともに、複数のユーザが使用する場合であってもコストを低減することができる通信端末機を提供することである。
【００１１】
【課題を解決するための手段】
本発明は、公衆回線網に接続され、該公衆回線網に接続されているセンタ装置と通信を行い、センタ装置を介して他の通信端末機とショートメッセージデータの送受信を行う通信端末機であって、
前記通信端末機は、互いに無線通信を行う親機と子機とからなり、
前記子機は、
ショートメッセージデータを入力する子機側入力手段と、
子機側入力手段によって入力されたショートメッセージデータを親機に送信し、親機からショートメッセージデータを受信する子機側無線通信手段とを有し、
前記親機は、
ショートメッセージデータを入力する親機側入力手段と、
公衆回線網に接続してセンタ装置とショートメッセージデータの送受信を行う通信手段と、
通信手段によって受信したショートメッセージデータを子機に送信し、子機からショートメッセージデータを受信する親機側無線通信手段と、
前記通信手段が通信を行うための通信プロトコル情報をセンタ装置ごとに複数記憶する記憶手段と、
所定の条件に基づいて、通信プロトコル情報が記憶されたセンタ装置の中から通信を行うセンタ装置を選択する選択手段と、
選択手段が選択したセンタ装置の通信プロトコル情報に基づいて、ショートメッセージデータの送信時には、親機側入力手段によって入力されたショートメッセージデータまたは親機側無線通信手段が受信したショートメッセージデータをセンタ装置に送信し、ショートメッセージデータの受信時には、センタ装置からショートメッセージデータを受信するように前記通信手段を制御するとともに、センタ装置から受信したショートメッセージデータが子機宛であるか否かを判断し、子機宛であれば、受信したショートメッセージデータを子機に送信するように親機側無線通信手段を制御する制御手段とを有することを特徴とする通信端末機である。
【００１２】
本発明に従えば、公衆回線網に接続され、該公衆回線網に接続されているセンタ装置と通信を行うことで、センタ装置を介して他の通信端末機とショートメッセージデータの送受信を行う。通信端末機は、親機と子機とからなり、互いに無線通信を行うことができる。
【００１３】
ユーザが子機を操作してショートメッセージデータを送信する場合、まず、子機側入力手段によってショートメッセージデータが入力される。子機側入力手段によって入力されたショートメッセージデータは、子機側無線通信手段によって親機に送信される。
【００１４】
親機側無線通信手段が、子機から送信されたショートメッセージデータを受信すると、選択手段は、所定の条件に基づいて、通信プロトコル情報が記憶されたセンタ装置の中から通信を行うセンタ装置を選択する。センタ装置が選択されると、制御手段は通信手段を制御し、選択手段が選択したセンタ装置の通信プロトコル情報に基づいて、親機側無線通信手段が受信したショートメッセージデータをセンタ装置に送信させる。
【００１５】
これにより、ユーザは、子機を操作することで、入力したショートメッセージデータをセンタ装置に送信することができる。
【００１６】
親機の通信手段がセンタ装置からショートメッセージデータを受信した場合、制御手段は、センタ装置から受信したショートメッセージデータが子機宛であるか否かを判断する。子機宛であれば、制御手段は親機側無線通信手段を制御して、受信したショートメッセージデータを子機に送信する。
【００１７】
これにより、ユーザは、子機宛のショートメッセージデータを子機で受信することができる。
【００１８】
また、ユーザが親機を操作してショートメッセージデータを送信する場合、親機側入力手段によってショートメッセージデータが入力されると、選択手段は、所定の条件に基づいて、通信プロトコル情報が記憶されたセンタ装置の中から通信を行うセンタ装置を選択する。センタ装置が選択されると、制御手段は通信手段を制御し、選択手段が選択したセンタ装置の通信プロトコル情報に基づいて、親機側入力手段によって入力されたショートメッセージデータをセンタ装置に送信させる。
【００１９】
以上のように、ユーザは、子機および親機を操作してショートメッセージの送受信を行うことができるので、ショートメッセージサービスを利用する際の利便性が向上するとともに、複数のユーザが使用する場合であっても、通信端末機を別途設置する必要がなく設備にかかるコストを低減することができる。
【００２０】
また本発明は、前記記憶手段は、通信プロトコル情報が記憶された各センタ装置と親機または子機との関連付けを記憶し、
前記選択手段は、子機側入力手段によって入力されたショートメッセージデータを親機側無線通信手段が受信したときは、ショートメッセージデータを送信した子機に関連付けられたセンタ装置を選択し、親機側入力手段によってショートメッセージデータが入力されたときは、親機に関連付けられたセンタ装置を選択することを特徴とする。
【００２１】
本発明に従えば、記憶手段は、通信プロトコル情報が記憶された各センタ装置と親機または子機との関連付けを記憶しており、選択手段は、子機側入力手段によって入力されたショートメッセージデータを親機側無線通信手段が受信したときは、ショートメッセージデータを送信した子機に関連付けられたセンタ装置を選択し、親機側入力手段によってショートメッセージデータが入力されたときは、親機に関連付けられたセンタ装置を選択する。
【００２２】
これにより、ユーザは、操作する対象を変えるだけで、ショートメッセージデータを送信するセンタ装置を選択することができる。したがって、ユーザは、センタ装置を選択する操作が不要となり、利便性が向上する。
【００２３】
また本発明は、前記制御手段は、通信手段がセンタ装置からショートメッセージデータを受信したときは、前記記憶手段を参照し、ショートメッセージデータを送信したセンタ装置が、子機に関連付けられたセンタ装置かどうかを判断することで、受信したショートメッセージデータが子機宛であるか否かを判断することを特徴とする。
【００２４】
本発明に従えば、制御手段は、通信手段がセンタ装置からショートメッセージデータを受信したときは、記憶手段を参照し、ショートメッセージデータを送信したセンタ装置が、子機に関連付けられたセンタ装置かどうかを判断することで、受信したショートメッセージデータが子機宛であるか否かを判断する。
【００２５】
これにより、センタ装置から受信したショートメッセージデータが子機宛であるか否かを容易に判断することができる。
【００２６】
また本発明は、前記親機は、通信プロトコル情報が記憶されたセンタ装置ごとに、該センタ装置との通信量を示す通信度数を計数し、計数した通信量を前記記憶手段にセンタ装置ごとに記憶させる計数手段を有することを特徴とする。
【００２７】
本発明に従えば、計数手段は、通信プロトコル情報が記憶されたセンタ装置ごとに、該センタ装置との通信量を示す通信度数を計数する。また計数した通信量を記憶手段にセンタ装置ごとに記憶させる。
【００２８】
これにより、センタ装置を使用することによって発生する料金を、センタ装置ごとに算出することができる。たとえば、使用するセンタ装置がユーザごと、もしくは部署ごとなどで決まっている場合に、それぞれのユーザ、もしくは部署に請求すべき通信費用を用意に算出できる。
【００２９】
また本発明は、前記親機は、ショートメッセージデータを印刷する印刷手段を有し、
受信した子機宛のショートメッセージデータの中から、前記印刷手段が印刷するショートメッセージデータをユーザが指示する指示手段を、親機および子機の少なくとも一方が備えていることを特徴とする。
【００３０】
本発明に従えば、親機は、ショートメッセージデータを印刷する印刷手段を有している。この印刷手段からショートメッセージデータを印刷するときに、ユーザが指示手段を操作すると、受信した子機宛のショートメッセージデータの中のショートメッセージデータが印刷される。
【００３１】
これにより、子機が印刷手段を備えていなくても、子機宛のショートメッセージデータを、親機が備える印刷手段を用いて印刷することができるので、利便性が向上する。
【００３２】
また本発明は、前記親機は、ショートメッセージデータを表示する親機側表示手段を有し、
前記子機は、ショートメッセージデータを表示する子機側表示手段を有し、
前記子機側表示手段は、前記親機側表示手段より高解像度であることを特徴とする。
【００３３】
本発明に従えば、親機および子機は、それぞれショートメッセージデータを表示する表示手段を有しており、子機側表示手段は、親機側表示手段より高解像度である。
【００３４】
また本発明は、前記親機は、文字コードを文字フォントに変換する変換手段を有し、
前記親機側無線通信手段は、受信したショートメッセージデータに含まれる文字コードが変換された文字フォントを、画像データとして子機に送信し、前記子機側無線通信手段は、親機から送信された画像データを受信し、前記子機側表示手段は、子機側無線通信手段が受信した画像データをショートメッセージデータに代えて表示することを特徴とする。
【００３５】
本発明に従えば、親機は、文字コードを文字フォントに変換する変換手段を有しており、受信したショートメッセージデータに含まれる文字コードは文字フォントに変換される。親機側無線通信手段は、変換された文字フォントを画像データとして子機に送信する。子機側無線通信手段が親機から送信された画像データを受信すると、子機側表示手段は、受信した画像データをショートメッセージデータに代えて表示する。
【００３６】
これにより、子機側表示手段によって、従来表示機能が制限されている親機側表示手段では表示することが困難なショートメッセージデータ、たとえば独仏語のウムラウトや特殊文字などを含むショートメッセージデータを表示することができる。
【００３７】
また本発明は、公衆回線網に接続され、該公衆回線網に接続されているセンタ装置とショートメッセージデータの送受信を行うことで、センタ装置を介して他の通信端末機とショートメッセージデータの送受信を行う通信端末機であって、
前記通信端末機は、互いに無線通信を行う親機と子機とからなり、
前記子機は、センタ装置に送信するショートメッセージデータを入力する入力手段と、
センタ装置から受信したショートメッセージデータを出力する出力手段とを有することを特徴とする通信端末装置である。
【００３８】
本発明に従えば、公衆回線網に接続され、該公衆回線網に接続されているセンタ装置とショートメッセージデータの送受信を行うことで、センタ装置を介して他の通信端末機とショートメッセージデータの送受信を行う。通信端末機は、親機と子機とからなり、互いに無線通信を行う。ユーザが子機の入力手段から入力したショートメッセージデータは、センタ装置に送信され、センタ装置から受信したショートメッセージデータは子機の出力手段から出力される。
【００３９】
これにより、ユーザは、親機と無線接続された子機を操作することで、ショートメッセージデータの送受信を行うことができるので、親機と子機との通信圏内の場所を自由に選択してショートメッセージデータの送受信を行うことができ、利便性が向上する。
【００４０】
【発明の実施の形態】
以下では、図面に示す実施形態に基づいて本発明を詳述する。なお、本発明はこれによって限定されるものではない。
【００４１】
図１は、ショートメッセージサービスの送受信システムの概略図である。ショートメッセージサービス対応通信端末機（以下「ＳＭＴＥ」と略称する。）１，２，３およびＳＭＳＣ装置１００，２００，３００がＰＳＴＮ（公衆交換電話網）４００に接続され、ショートメッセージサービスの送受信システムを構成している。本発明は、ＰＳＴＮ４００に接続される種々の通信端末機に適用可能であるが、ここでは通信端末機をファクシミリ装置とする。ＳＭＴＥ１は、親機１ａと子機１ｂおよび子機１ｃとからなり、親機１ａと子機１ｂ，１ｃとは無線で通信を行うことが可能である。なお、子機は２台に限らず３台以上であってもよい。親機１ａと子機１ｂ，１ｃとは、無線通信によって内線通話が可能であり、子機１ｂ，１ｃはそれぞれ親機１ａを経由してＰＳＴＮ４００に接続されている他の通信端末機と電話通信およびファクシミリ通信を行うことができる。さらに、子機１ｂ，１ｃは、親機１ａを介してＳＭＳＣ装置と通信を行い、ショートメッセージデータの送受信を行うことができる。図１を用いて本発明の実施形態であるＳＭＴＥ１がどのように動作してショートメッセージの送受信を行うかを説明する。
【００４２】
ＰＳＴＮ４００は有線媒体による公衆回線網であり、ＳＭＳＣ装置１００、ＳＭＳＣ装置２００、およびＳＭＳＣ装置３００は、このＰＳＴＮ４００に接続され、ショートメッセージの送受信サービスを行うＳＭＳＣ装置群の一部であり、ＳＭＳＣ装置１００，２００，３００は、ＰＳＴＮでの発信者ＩＤ（電話番号）として、９８７　６５４　３２１、８７６　５４３　２１０、７６５　４３２　１０９をそれぞれ有している。また、ＳＭＳＣ装置１００，２００，３００は、それぞれ異なる業者が提供しているショートメッセージサービスを行うＳＭＳＣ装置である。
【００４３】
ＳＭＴＥ１、ＳＭＴＥ２、およびＳＭＴＥ３は、ショートメッセージサービスを受けるべくＰＳＴＮ４００に接続されたＳＭＴＥ群の一部であり、ＳＭＴＥ１，２，３は、ＰＳＴＮ４００での発信者ＩＤ（電話番号）として、１２３　４５６　７８９、２３４　５６７　８９０、３４５　６７８　９０１をそれぞれ有している。また、ＳＭＴＥ１，２，３は、異なるユーザが使用する。なお、ＳＭＴＥ１は本発明の実施形態である通信端末機であり、ＳＭＴＥ２，３は従来の通信端末機である。ＳＭＴＥ１からＳＭＴＥ２およびＳＭＴＥ３にそれぞれショートメッセージを送信する場合について説明する。
【００４４】
図１における破線の矢印は、ＳＭＴＥ１からＳＭＴＥ２にショートメッセージＡを送信するときの、ショートメッセージＡの通信経路を示している。親機１ａが、ＳＭＳＣ装置１００と通信を行うように設定されているので、ユーザが親機１ａを操作することで、ショートメッセージＡは、ＳＭＳＣ装置１００に送信される。ＳＭＳＣ装置１００は、ＳＭＴＥ１から受信したショートメッセージＡを一旦記憶する。次にＳＭＳＣ装置１００は、送信先のＳＭＴＥ２を呼び出し、回線確立後にショートメッセージＡを送信する。これにより、ＳＭＴＥ１からＳＭＴＥ２にショートメッセージＡを送信することができる。
【００４５】
図１における一点鎖線の矢印は、ＳＭＴＥ１からＳＭＴＥ３にショートメッセージＢを送信するときの、ショートメッセージＢの通信経路を示している。子機１ｂは、親機１ａを介してＳＭＳＣ装置３００と通信するように設定されているので、ユーザが子機１ｂを操作することで、ショートメッセージＢは、ＳＭＳＣ装置３００に送信される。ＳＭＳＣ装置３００は、親機１ａを介して子機１ｂから受信したショートメッセージＢを一旦記憶する。次にＳＭＳＣ装置３００は、送信先のＳＭＴＥ３を呼び出し、回線確立後にショートメッセージＢを送信する。これにより、ＳＭＴＥ１からＳＭＴＥ３にショートメッセージＢを送信することができる。
【００４６】
次に、上記のようなショートメッセージの送受信が可能な通信端末機について詳細に説明する。
【００４７】
図２は、本発明の実施の一形態であるショートメッセージサービス対応通信端末機（ＳＭＴＥ）１の親機１ａの構成を示すブロック図である。ＳＭＴＥ１はファクシミリ装置であり、親機１ａは、網制御装置１０、画像用モデム１１、データ用モデム１２、入力装置１３、メモリ装置１４、ＲＯＭ（リードオンリメモリ）１５、画像読取装置１６、印刷装置１７、表示装置１８、制御装置１９、スピーチ回路２０、チューナ２１、アンテナ２２および送受話器２３から構成される。
【００４８】
網制御装置１０はＰＳＴＮ４００に接続され、ＰＳＴＮ４００が要求する電気的特性を有し、回線の状態監視、およびＰＳＴＮ４００からの信号の受信と、ＰＳＴＮ４００への信号の送信を行う。画像用モデム１１は、送信しようとする画像のデジタル信号をＰＳＴＮ４００に適したアナログ信号に変調するとともに、網制御装置１０が受信した画像のアナログ信号（ファクシミリ信号）を復調する。データ用モデム１２は、ショートメッセージおよび発信者ＩＤ（ＣＩＤ）の認識をするために、網制御装置１０が受信したデータ信号を復調し、送信用の文字データを変調する。網制御装置１０およびデータ用モデム１２は、通信手段を構成する。
【００４９】
画像読取装置１６は、ファクシミリ送信または複写するための原稿を読み取る装置であって、レンズとＣＣＤラインセンサの組合せによる縮小光学系読取方式、ロッドレンズアレーを用いた密着センサ方式などの読み取り方式が用いられる。印刷装置１７は、網制御装置１０が受信した画像データ、ショートメッセージデータ（文字データ）、および画像読取装置１６で読み取られた画像データを印刷する印刷手段であって、サーマル式、電子写真方式、インクジェット方式などの印刷方式が用いられる。
【００５０】
スピーチ回路２０は、網制御装置１０が受信した通信信号を音声信号に変換して送受話器２３もしくはチューナ２１に出力し、送受話器２３またはチューナ２１から入力された音声信号を通信信号に変換する。チューナ２１は、スピーチ回路２０から出力された音声信号を増幅して所定の周波数でアンテナ２２から電波を発信する。チューナ２１およびアンテナ２２は親機側無線通信手段を構成する。送受話器２３は、スピーカとマイクを備え、マイクによってユーザが発する音声を音声信号に変換し、スピーカによってスピーチ回路２０から出力された音声信号を音声に変換して出力する。
【００５１】
メモリ装置１４は、受信または読み取った画像や、ファクシミリデータの送受信に関連するＳＭＴＥ１のステータスを記憶したり、動作中の各種データを一時的に記憶するワーキングメモリ、バッファリングなどとして用いられる汎用メモリ部１４１と、ショートメッセージの送受信に関連する親機１ａのステータスやショートメッセージサービスに特化したデータ、たとえば受信したショートメッセージデータを記憶するＳＭＳ関連テーブル・メモリ部１４２とで構成される記憶手段である。ＳＭＳ関連テーブル・メモリ部１４２に記憶されるデータについては、後述する。
【００５２】
入力装置１３は、ファクシミリ送信時や、電話発信時に電話番号を入力するためなどに使用するダイアルキーやその他の操作を行うための汎用操作部１３１と、ショートメッセージを送信するＳＭＳＣ装置の選択やその他のショートメッセージの送受信に関連する操作を行うためのＳＭＳ関連操作部１３２とで構成される親機側入力手段である。それぞれの操作部のキー構成例については後述する。
【００５３】
表示装置１８は、液晶ディスプレイなどで実現され、ファクシミリ送受信時、電話発着信時、ショートメッセージ送受信時などで、ＳＭＴＥ１の動作状態を表示したり、画像データやショートメッセージデータを表示する親機側表示手段である。入力装置１３および表示装置１８は、親機側入力手段、指示手段および指定手段を構成する。
【００５４】
制御装置１９は、ＳＭＴＥ１を動作させるための制御プログラムが格納されているＲＯＭ１５およびメモリ装置１４と相俟って、入力装置１３からの入力情報、ＰＳＴＮ４００からの受信情報などに基づいてＳＭＴＥ１全体の動作を決定し、全体に指令を与える。制御装置１９は、選択手段、計数手段、変換手段および制御手段を構成する。
【００５５】
図３は、子機１ｂの構成を示すブロック図である。なお、子機１ｃの構成は、子機１ｂと同じであるので、子機１ｂの構成を説明する。子機１ｂは、アンテナ３０、チューナ３１、スピーチ回路３２、スピーカ３３、マイク３４、入力装置３５、メモリ装置３６、ＲＯＭ３７、表示装置３８および制御装置３９から構成される。
【００５６】
チューナ３１は、アンテナ３０が受信した電波信号を減衰してスピーチ回路３２に出力する。チューナ３１およびアンテナ３０は、子機側無線通信手段を構成する。スピーチ回路３２は、チューナ３１から出力された通信信号を音声信号に変換してスピーカ３３に出力し、マイク３４から出力された音声信号を通信信号に変換する。スピーカ３３は、スピーチ回路３２から出力された音声信号を音声に変換して出力する。マイク３４は、ユーザが発する音声を音声信号に変換してスピーチ回路３２に出力する。
【００５７】
メモリ装置３６は、親機１ａで受信または読み取った画像や、ショートメッセージデータの送受信に関連する子機１ｂのステータスを記憶したり、動作中の各種データを一時的に記憶するワーキングメモリ、バッファリングなどとして用いられる汎用メモリ部３６１と、親機１ａから受信したショートメッセージを記憶するＳＭＳ関連メモリ部３６２とから構成される。
【００５８】
入力装置３５は、電話発信時に電話番号を入力するためなどに使用するダイアルキーやその他の操作を行うための汎用操作部３５１と、ショートメッセージデータの送受信に関連する操作を行うためのＳＭＳ関連操作部３５２とで構成される子機側入力手段である。それぞれの操作部のキー構成例については後述する。
【００５９】
表示装置３８は、親機１ａよりも高精細な液晶ディスプレイなどで実現され、電話発着信時、ショートメッセージ送受信時などで、子機１ｂの動作状態を表示したり、画像データやショートメッセージデータを出力表示する子機側表示手段および出力手段である。なお、ショートメッセージデータの出力は、表示装置３８からの表示に限らず、スピーカ３３から音声出力させてもよい。
【００６０】
制御装置３９は、子機１ｂを動作させるための制御プログラムが格納されているＲＯＭ３７およびメモリ装置３６と相俟って、入力装置３５からの入力情報、親機１ａからの受信情報などに基づいて子機１ｂ全体の動作を決定し、全体に指令を与える。
【００６１】
図４は、親機１ａの入力装置１３のキー構成例を示す図である。汎用操作部１３１は、数字キー、ファクシミリ用操作キー、電話用操作キーなどから構成される。ＳＭＳ関連操作部１３２は、ＳＭＳモードキー１３２ａ、新しいメッセージキー１３２ｂ、返信キー１３２ｃ、表示キー１３２ｄ、印刷キー１３２ｅ、スタートキー１３２ｆから構成される。
【００６２】
ＳＭＳモードキー１３２ａは、親機１ａの動作モードをファクシミリモードからＳＭＳモードに切り換えるときに入力するキーである。ユーザによって、ＳＭＳモードキー１３２ａが入力されると、制御装置１９は、その旨を表示装置１８に表示させたり、データ用モデム１２の初期化など動作準備を行う。
【００６３】
新しいメッセージキー１３２ｂは、ＳＭＳモード時に入力すると、新しいショートメッセージの送信を行うことができる。新しいメッセージキー１３２ｂ入力後に、ショートメッセージデータの入力などを行う。
【００６４】
返信キー１３２ｃは、ＳＭＳモード時に入力すると、受信したショートメッセージを送信したＳＭＴＥに対して、作成したショートメッセージを返信することができる。たとえば、表示キー１３２ｄを入力して、受信したショートメッセージを表示装置１８に表示させた状態で、返信キー１３２ｃを入力し、入力装置１３を用いて送信したいショートメッセージを入力すると、表示したショートメッセージを送信したＳＭＴＥに対して、作成したショートメッセージを返信することができる。
【００６５】
印刷キー１３２ｅは、ＳＭＳモード時に入力すると、受信したショートメッセージデータを印刷装置１７を用いて印刷することができる。たとえば、表示キー１３２ｄを入力して、受信したショートメッセージを表示装置１８に表示させた状態で、印刷キー１３２ｅを入力すると、表示したショートメッセージを印刷することができる。
【００６６】
スタートキー１３２ｆは、上述のショートメッセージの送信、表示、印刷を行うときに入力し、各操作を確定する。
【００６７】
図５は、子機１ｂの入力装置３５のキー構成例を示す図である。汎用操作部３５１は、数字キー、ファクシミリ用操作キー、電話用操作キーなどから構成される。ＳＭＳ関連操作部３５２は、メッセージキー３５２ａ、返信キー３５２ｂ、印刷キー３５２ｃ、表示キー３５２ｄおよびスタートキー３５２ｅから構成される。
【００６８】
メッセージキー３５２ａを入力すると、制御装置３９は親機１ａとの無線チャネルを確立し、親機１ａに対してＳＭＳモードに移行するように要求信号を送信する。親機１ａがＳＭＳモードに移行した後、入力装置３５からショートメッセージデータを入力してショートメッセージデータを送信することができる。
【００６９】
返信キー３５２ｂを入力すると、メッセージキー３５２ａ入力時と同様に、親機１ａがＳＭＳモードに移行する。親機１ａがＳＭＳモードに移行した後、受信したショートメッセージを送信したＳＭＴＥに対して、作成したショートメッセージを返信することができる。たとえば、表示キー３５２ｄを入力することで親機１ａから、すでに受信したショートメッセージを取得して、表示装置３８に表示させた状態で、返信キー３５２ｄを入力し、入力装置３５を用いて送信したいショートメッセージを入力すると、表示したショートメッセージを送信したＳＭＴＥに対して、作成したショートメッセージを返信することができる。
【００７０】
印刷キー３５２ｃは、ＳＭＳモード時に入力すると、すでに受信したショートメッセージデータを、親機１ａの印刷装置１７を用いて印刷することができる。たとえば、表示キー３５２ｄを入力することで親機１ａから、すでに受信したショートメッセージを取得して、表示装置３８に表示させた状態で、印刷キー３５２ｃを入力すると、表示したショートメッセージを印刷することができる。
【００７１】
表示キー３５２ｄは、親機１ａから、すでに受信したショートメッセージを取得して、表示装置３８に表示させるだけではなく、親機１ａに記憶されているファクシミリ画像データや、画像読取装置１６で読み取った画像データなどを表示装置３８に表示させることができる。親機１ａの表示装置１８の表示機能は、かなり制限されており、たとえば１文字の表示が７ドット×５ドットであるため、独仏語のウムラウトや特殊文字を含む欧州規格のＧＳＭ用文字セットを表示することは困難である。一方、子機１ｂの表示装置３８はＶＧＡ準拠というような高精細な表示機能を有しており、画像データは子機１ｂの表示装置３８で表示する方が有効である。表示キー３５２ｄが入力されると、親機１ａは、制御装置１９によってＧＳＭ用文字セット準拠のキャラクタジェネレータ（ＣＧ）機能を用いて、文字コードを画像データに変換し、子機１ｂに変換した画像データを送信する。子機１ｂは、受信した画像データを表示装置３８に表示する。なお、すでに受信したショートメッセージおよび画像データのいずれを表示させるかは、表示キー３５２ｄが入力された後、ユーザが選択できるようにしておけばよい。
【００７２】
スタートキー３５２ｅは、上述のショートメッセージの送信、表示、印刷を行うときに入力し、各操作を確定する。
【００７３】
図６は、ＳＭＳ関連テーブル・メモリ部１４２の記憶領域を示す図である。図に示すようにＳＭＳ関連テーブル・メモリ部１４２は、複数の記憶領域を有している。これらの記憶領域は、それぞれ個別領域であるＳＭＳＣ装置１００，２００，３００用記憶領域１０１，２０１，３０１となっている。なお、さらに多くのＳＭＳＣ装置が登録されている場合でもその割付は同じである。
【００７４】
ＳＭＳＣ装置１００用の記憶領域１０１には、ＳＭＳＣ装置の名称、端末機の種類、ＳＭＳＣ装置の発信者ＩＤ（電話番号）、使用度数、適用プログラムおよび受信データがそれぞれ記憶される。
【００７５】
ＳＭＳＣ装置の名称は、ユーザが送信先のＳＭＳＣ装置を登録する際に、識別できるように入力した名称が記憶される。図では“ＳＭＳＣ装置１００”が記憶されている。端末機の種類は、ＳＭＳＣ装置１００と通信を行う端末機の種類を示し、親機１ａ、子機１ｂ、子機１ｃのいずれかが記憶される。
【００７６】
発信者ＩＤ（電話番号）は、発信者であるＳＭＳＣ装置を識別するための識別情報、すなわちＳＭＳＣ装置固有の番号であり、通常は、ＳＭＳＣ装置に付与されている電話番号が記憶される。図では、ＳＭＳＣ装置１００の電話番号“９８７　６５４　３２１”が記憶されている。
【００７７】
ショートメッセージデータを送信する場合、制御装置１９は、親機１ａ、子機１ｂ、子機１ｃのいずれが操作されたか、具体的には、親機１ａのＳＭＳ関連操作部１３２が操作されたか、子機１ｂ，１ｃのＳＭＳ関連操作部３５２が操作されたかを判断し、ＳＭＳ関連テーブル・メモリ部１４２の操作された端末機に対応するＳＭＳＣ装置用の記憶領域を参照し、記憶されている通信プロトコルおよびパラメータを用いてショートメッセージの送信を行う。
【００７８】
また、ショートメッセージデータを受信する場合、制御装置１９は、いずれのＳＭＳＣ装置から受信したか、具体的には着呼信号に含まれる電話番号がいずれのＳＭＳＣ装置の電話番号であるかを判断する。判断結果に基づいて、ＳＭＳＣ装置用の記憶領域を参照し、記憶されている通信プロトコルおよびパラメータを用いてショートメッセージを受信する。受信した後、該当する端末機に対してショートメッセージを受信したことを報知する。該当する端末機が子機１ｂ，１ｃの場合は、ショートメッセージデータを受信して記憶したのち、無線チャネルを確立して報知メッセージデータを送信する。このとき、受信したショートメッセージデータを同時に送信してもよい。
【００７９】
使用度数は、ショートメッセージサービスの使用量、すなわちＳＭＳＣ装置との通信度数である。通信度数は、ショートメッセージサービスの提供業者によって異なっており、ＳＭＳＣ装置とＳＴＭＥとが通信を行った通信時間である場合、ＳＭＳＣ装置とＳＴＭＥとの間で送受信されたデータ容量である場合、時間や容量にかかわらず、ショートメッセージデータ送信および受信を行った回数である場合などがある。ＳＭＳＣ装置用の各データを入力する際に、使用度数がいずれの通信度数であるかを設定しておけばよい。制御装置１９は、ショートメッセージデータの送受信時に、通信を行ったＳＭＳＣ装置の使用度数をカウントアップさせる。
【００８０】
本実施形態のように端末機が複数の場合は、各端末機はそれぞれ異なるユーザが使用する場合が多いので、通信費用の管理者は、記憶されている使用度数に基づいて各端末機のユーザに対して費用請求することができる。
【００８１】
通信プロトコル情報である適用プログラム（プロトコル・パラメータ）は、ＳＭＳＣ装置との相互通信に当って要求される通信プロトコルで通信を行うための通信プログラムおよび通信パラメータである。この適用プログラムの一部あるいは全部は、たとえば、ＳＭＳＣ装置からダウンロードすることで取得することができる。
【００８２】
受信データは、ＳＭＳＣ装置から受信したショートメッセージデータであり、ショートメッセージの最大文字数に基づいて規定される。本実施形態では、たとえば１６０バイトであり、１６０バイトごとに区画されたブロックに記憶される。
【００８３】
なお、ＳＭＳＣ装置の名称、端末機の種類および発信者ＩＤ（電話番号）は、前述の入力装置１３を用いてユーザによって入力され、記憶される。
【００８４】
図７は、ＳＭＴＥ１のショートメッセージ送信処理を示すフローチャートである。図７（ａ）は親機１ａの処理を示し、図７（ｂ）は、子機１ｂ（１ｃ）の処理を示している。親機１ａの制御装置１９は、親機１ａのＳＭＳ関連操作部１３２および子機１ｂのＳＭＳ関連操作部３５２の動作を監視しており、ステップＳ１００では、いずれのＳＭＳ関連操作部が動作したかを判断し、親機１ａのＳＭＳ関連操作部１３２が動作していれば、ステップＳ１０４に進み、子機１ｂのＳＭＳ関連操作部３５２が動作していればステップＳ１０１に進む。親機１ａからショートメッセージを送信する場合は、ステップＳ１０４でユーザが入力装置１３などを用いて、送信したいショートメッセージを入力する。ステップＳ１０２では、端末機の種類として親機１ａが記憶されているＳＭＳＣ装置１００用記憶領域を参照し、記憶されている電話番号“９８７　６５４　３２１”にダイアル発信する。ステップＳ１０３では、記憶されている適用プログラムに基づく通信プロトコルおよび通信パラメータで、ショートメッセージをＳＭＳＣ装置１００に送信して処理を終了する。
【００８５】
子機１ｂの処理については、ステップＳ２００でユーザによってメッセージキー３５２ａなどが入力されると、ＳＭＳ関連操作部３５２が動作し、ステップＳ２０１で制御装置３９が親機１ａとの無線チャネルを確立し、ＳＭＳモードへの移行を親機１ａに要求する。親機１ａのステップＳ１００ではこの要求を受信したことにより、制御装置１９は、子機１ｂのＳＭＳ関連操作部３５２が動作したことがわかる。ステップＳ２０２では、ユーザが入力装置３５などを用いて、送信したいショートメッセージを入力する。ステップＳ２０３では、確立された無線チャネルを通じて親機１ａに入力されたショートメッセージを送信する。
【００８６】
親機１ａは、ステップＳ１０１で子機１ｂからショートメッセージを受信する。ステップＳ１０２では、ショートメッセージの送信元の子機、たとえば子機１ｂが送信元の子機であるとすれば、端末機として子機１ｂが記憶されているＳＭＳＣ装置３００用記憶領域を参照し、記憶されている電話番号“７６５　４３２１０９”にダイアル発信する。ステップＳ１０３では、記憶されている適用プログラムに基づく通信プロトコルおよび通信パラメータで、ショートメッセージをＳＭＳＣ装置３００に送信して処理を終了する。
【００８７】
このように、ユーザによって親機１ａ、子機１ｂ，１ｃのいずれかの端末機が操作されると、親機１ａが操作された端末機に対応するＳＭＳＣ装置が選択され、適切な通信プロトコルでショートメッセージが送信されるので、複数の端末機からショートメッセージを送信することができる。それぞれの端末機を複数のユーザが操作することで、複数のユーザがショートメッセージを送信することができる。
【００８８】
図８は、ＳＭＴＥ１のショートメッセージ受信処理を示すフローチャートである。図８（ａ）は、親機１ａの処理を示し、図８（ｂ）は子機１ｂ（１ｃ）の処理を示している。ステップＳ３００では、ＰＳＴＮ４００の交換局からの着呼信号（リンガ）が到来すると、網制御装置１０はその着呼信号を検知する。ステップＳ３０１では、受信した着呼信号が登録されているＳＭＳＣ装置からの着呼信号かどうかを判定するために、受信した着呼信号に含まれる電話番号と、全てのＳＭＳＣ装置用記憶領域に記憶された電話番号とを比較する。比較した結果、ステップＳ３０２では、受信した電話番号が、いずれの端末機に対応するＳＭＳＣ装置の電話番号と一致したかを判断する。端末機が親機１ａの場合は、ステップＳ３０３に進み、端末機が子機１ｂ，１ｃの場合は、ステップＳ３０７に進む。
【００８９】
ステップＳ３０３では、端末機の種類として親機１ａが記憶されているＳＭＳＣ装置１００用記憶領域を参照し、ステップＳ３０４で、記憶されている適用プログラムに基づく通信プロトコルおよび通信パラメータで、ＳＭＳＣ装置１００からショートメッセージを受信する。ステップＳ３０５では、受信したショートメッセージをＳＭＳＣ装置１００用記憶領域に記憶し、ステップＳ３０６で、ショートメッセージを受信したことを表示装置１８などに表示して処理を終了する。
【００９０】
ステップＳ３０２で、たとえば、子機１ｃに対応するＳＭＳＣ装置２００の電話番号と一致した場合、ステップＳ３０７に進む。ステップＳ３０７では、端末機の種類として子機１ｃが記憶されているＳＭＳＣ装置２００用記憶領域を参照し、ステップＳ３０８で、記憶されている適用プログラムに基づく通信プロトコルおよび通信パラメータで、ＳＭＳＣ装置２００からショートメッセージを受信する。ステップＳ３０９では、受信したショートメッセージをＳＭＳＣ装置２００用記憶領域に記憶する。ステップＳ３１０では、子機１ｃとの無線チャネルを確立して、ショートメッセージを受信したことを子機１ｃに通知する。ステップＳ３１１では、受信したショートメッセージを、確立した無線チャネルを通じて子機１ｃに送信して処理を終了する。
【００９１】
子機１ｃでは、親機１ａのステップＳ３１０に対応して、ステップＳ４００で無線チャネルを確立して、親機１ａが自機宛のショートメッセージを受信した通知を受ける。ステップＳ４０１では、親機１ａのステップＳ３１１で送信されたショートメッセージを、確立した無線チャネルを通じて受信し、ＳＭＳ関連メモリ部３６２に記憶する。ステップＳ４０２では、ショートメッセージを受信したことを表示装置３８などに表示して処理を終了する。
【００９２】
このように、親機は適切な通信プロトコルでＳＭＳＣ装置からショートメッセージを受信し、ショートメッセージ送信元のＳＭＳＣ装置に対応する端末機が子機である場合は、受信したショートメッセージを子機に対して送信するので、複数の端末機でショートメッセージを受信することができる。それぞれの端末機を複数のユーザが操作することで、複数のユーザがショートメッセージを受信することができる。
【００９３】
なお、本実施形態では、ＳＭＳＣ装置の名称、端末機の種類、ＳＭＳＣ装置の発信者ＩＤ（電話番号）、使用度数、適用プログラムおよび受信データなどのＳＭＳ関連データは、親機１ａのＳＭＳ関連テーブル・メモリ部１４２に記憶され、ショートメッセージデータを送受信する際に参照しているが、子機１ｂ，１ｃのＳＭＳ関連メモリ部３６２に記憶し、たとえば、子機１ｂ，１ｃからショートメッセージデータを親機１ａに送信する際には、子機がショートメッセージデータ送信先のＳＭＳＣ装置を選択し、選択したＳＭＳＣ装置のプロトコル情報を、ショートメッセージデータに併せて送信するなどしてショートメッセージデータを送受信するように構成してもよい。また、ショートメッセージデータの入力は、子機１ｂ，１ｃの入力装置３５から可能で、ショートメッセージの出力表示は、子機１ｂ，１ｃの表示装置３８から可能であれば、ユーザは、親機と無線接続された子機を操作することで、ショートメッセージデータの送受信を行うことができるので、親機と子機との通信圏内の場所を自由に選択してショートメッセージデータの送受信を行うことができ、利便性が向上する。したがって、親機１ａの入力装置１３からの入力および表示装置１８からの表示出力が可能である必要はない。さらに、通信を行うＳＭＳＣ装置は複数台に限らず、１台であってもよく、子機も複数台に限らず、１台であってもよい。
【００９４】
【発明の効果】
以上のように本発明によれば、ユーザは、子機および親機を操作してショートメッセージの送受信を行うことができるので、ショートメッセージサービスを利用する際の利便性が向上するとともに、複数のユーザが使用する場合であっても、通信端末機を別途設置する必要がなく設備にかかるコストを低減することができる。
【００９５】
また本発明によれば、ユーザは、操作する対象を変えるだけで、ショートメッセージデータを送信するセンタ装置を選択することができるので、センタ装置を選択する操作が不要となり、利便性が向上する。
【００９６】
また本発明によれば、センタ装置から受信したショートメッセージデータが子機宛であるか否かを容易に判断することができる。
【００９７】
また本発明によれば、センタ装置を使用することによって発生する料金を、センタ装置ごとに算出することができる。たとえば、使用するセンタ装置がユーザごと、もしくは部署ごとなどで決まっている場合に、それぞれのユーザ、もしくは部署に請求すべき通信費用を用意に算出できる。
【００９８】
また本発明によれば、子機が印刷手段を備えていなくても、子機宛のショートメッセージデータを、親機が備える印刷手段を用いて印刷することができるので、利便性が向上する。
【００９９】
また本発明によれば、子機側表示手段によって、従来表示機能が制限されている親機側表示手段では表示することが困難なショートメッセージデータ、たとえば独仏語のウムラウトや特殊文字などを含むショートメッセージデータを表示することができる。
【０１００】
また本発明によれば、ユーザは、親機と無線接続された子機を操作することで、ショートメッセージデータの送受信を行うことができるので、親機と子機との通信圏内の場所を自由に選択してショートメッセージデータの送受信を行うことができ、利便性が向上する。
【図面の簡単な説明】
【図１】ショートメッセージサービスの送受信システムの概略図である。
【図２】本発明の実施の一形態であるショートメッセージサービス対応通信端末機（ＳＭＴＥ）１の親機１ａの構成を示すブロック図である。
【図３】ＳＭＴＥ１の子機１ｂの構成を示すブロック図である。
【図４】親機１ａの入力装置１３のキー構成例を示す図である。
【図５】子機１ｂの入力装置３５のキー構成例を示す図である。
【図６】ＳＭＳ関連テーブル・メモリ部１４２の記憶領域を示す図である。
【図７】ＳＭＴＥ１のショートメッセージデータ送信処理を示すフローチャートである。
【図８】ＳＭＴＥ１のショートメッセージデータ受信処理を示すフローチャートである。
【符号の説明】
１，２，３　ショートメッセージサービス対応通信端末機（ＳＭＴＥ）
１０　網制御装置
１１　画像用モデム
１２　データ用モデム
１３，３５　入力装置
１４，３６　メモリ装置
１５，３７　ＲＯＭ
１６　画像読取装置
１７　印刷装置
１８，３８　表示装置
１９，３９　制御装置
２０，３２　スピーチ回路
２１，３１　チューナ
２２，３０　アンテナ
２３　送受話器
３３　スピーカ
３４　マイク
１００，２００，３００　ＳＭＳＣ装置
１３１，３５１　汎用操作部
１３２，３５２　ＳＭＳ関連操作部
１３２ａ　ＳＭＳモードキー
１３２ｂ　新しいメッセージキー
１３２ｃ，３５２ｂ　返信キー
１３２ｄ，３５２ｄ　表示キー
１３２ｅ，３５２ｃ　印刷キー
１３２ｆ，３５２ｅ　スタートキー
１４１，３６１　汎用メモリ部
１４２　ＳＭＳ関連テーブル・メモリ部
３５２ａ　メッセージキー
３６２　ＳＭＳ関連メモリ部
４００　ＰＳＴＮ（公衆交換電話網）
【図１】
2004104261.tif 000003
【図２】
2004104261.tif 000004
【図３】
2004104261.tif 000005
【図４】
2004104261.tif 000006
【図５】
2004104261.tif 000007
【図６】
2004104261.tif 000008
【図７】
2004104261.tif 000009
【図８】
2004104261.tif 000010